(57)【特許請求の範囲】
【請求項１】
外枠に対して開閉される本体枠の施錠を行う施錠装置が前記本体枠の開閉軸から遠い側の端部に設けられると共に前記外枠の内側に位置し、その施錠装置に、鍵により解錠操作される錠と、前記外枠の内側に設けられた被係止部に係止及び離脱する鉤部材と、前記鍵の解錠操作に応じた前記錠の動作を前記鉤部材に伝達して前記被係止部から離脱させる鍵解錠伝達機構と、その鍵解錠伝達機構の外側であって前記外枠の内側に重なる位置に配置され、左右方向に厚みを有する形状にて上下方向に連続し、後方側へ立設された立壁部材とを備えてなる遊技機において、
前記外枠には、前記本体枠が閉止された状態で、前記立壁部材の少なくとも一部と左右方向において重なりを有する遮蔽部材が設けられ、
前記立壁部材には、前記鉤部材が設けられる高さ位置に、前方側に凹んで形成された少なくとも一つの切り欠き部が設けられ、
前記立壁部材側から前記施錠装置を側面視した場合に、前記鉤部材の一部が前記立壁部材の奥側に重なり、前記切り欠き部が設けられることにより、先端部を変形させることで前記鉤部材を前記鍵解錠伝達機構に結合させるカシメ部材の前記先端部が視認可能に構成され、
前記遮蔽部材は、左右方向に厚みを有する金属板の前側部分により形成されて前記切り欠き部を塞ぐ遮蔽部と、該遮蔽部に対して後側に位置する金属板の後側部分により形成されて前記外枠に前記遮蔽部材を固定するための固定部と、前記被係止部とを有する金属板により形成されていることを特徴とする遊技機。
【請求項２】
前記遊技機は、パチンコ機であることを特徴とする請求項１記載の遊技機。
【発明の詳細な説明】
【技術分野】
【０００１】
本発明は、本体枠を外枠に開閉可能に支持したパチンコ遊技機、パチスロ遊技機等の遊技機において、本体枠が閉じられたときにその本体枠を外枠に係止するための施錠装置を備えた遊技機に関するものである。
【背景技術】
【０００２】
パチンコ機、スロットマシン等の遊技機においては、外枠、筐体等の遊技機本体の前面側に、本体枠，前面扉，フロントパネル等の開閉部材が取り付けられている。かかる開閉部材は、閉じた状態で施錠装置によって遊技機本体に対し施錠されており、キー操作等によって解錠することにより開くことができるようになっている。
【０００３】
前記施錠装置をパチンコ機に適用した場合の従来の技術について説明する。パチンコ機は、例えば外枠に対して、遊技盤が取り付けられた本体枠が開閉可能に支持されている。遊技盤にはその前面に遊技領域が形成されている。本体枠の前方には、遊技領域を覆うとともに遊技領域を視認可能とする視認窓が形成された前面扉が開閉可能に支持されている。
【０００４】
本体枠にはキーシリンダが備えられるとともに、キーシリンダに差し込まれるキーの回動操作に連動して回動されるカムや、カムの回動に連動して摺動される摺動杆などが備えられている。また、本体枠側の第１鉤部材に対応して外枠側に受け部材が設けられ、本体枠側の第２鉤部材に対応して前面扉側に受け部材が設けられている。
そして、キーの一方への回動操作によって、第１鉤部材と外枠側の受け部材との係合関係が解除され、本体枠を外枠に対し開放することができる。また、キーの他方への回動操作によって、第２鉤部材と前面扉側の受け部材との係合関係が解除され、前面扉を本体枠に対し開放することができる。また、このような施錠装置を備えた遊技機の中には、摺動杆の外側に立壁部材が立設されたものがある（例えば、特許文献１等参照。）。立壁部材は、本体枠と外枠との隙間から針金等が差し込まれて鉤部材や摺動杆が移動されるのを阻止する役割を果たすと考えられる。
【先行技術文献】
【特許文献】
【０００５】
【特許文献１】特開２００５−１６８８０３号公報
【発明の概要】
【発明が解決しようとする課題】
【０００６】
しかしながら、施錠装置に設けられた立壁部材には、図２０に示すように、鉤部材の組付け等の製造上の理由により一部に切り欠き部を設けざるを得ない場合があり、切り欠き部からの針金等の差し込みを阻止できない場合があった。さらに、針金を屈曲形状とすることにより、立壁部材を乗り越えて鉤部材や摺動杆へアクセスすることも不可能とは言えないという問題があった。ここで、図２１は、従来例の施錠装置において施錠時における鉤部材周辺を上面視して示す図であり、針金等による外部から鉤部材へのアクセス例を示している。
【０００７】
本発明は上述した問題点に鑑みてなされたものであり、解決しようとする課題は、不正な外的操作に基づく施錠装置の解錠行為を防止可能な遊技機を提供することである。
【課題を解決するための手段】
【０００８】
請求項１記載の遊技機は、
外枠に対して開閉される本体枠の施錠を行う施錠装置が前記本体枠の開閉軸から遠い側の端部に設けられると共に前記外枠の内側に位置し、その施錠装置に、鍵により解錠操作される錠と、前記外枠の内側に設けられた被係止部に係止及び離脱する鉤部材と、前記鍵の解錠操作に応じた前記錠の動作を前記鉤部材に伝達して前記被係止部から離脱させる鍵解錠伝達機構と、その鍵解錠伝達機構の外側であって前記外枠の内側に重なる位置に配置され、左右方向に厚みを有する形状にて上下方向に連続し、後方側へ立設された立壁部材とを備えてなる遊技機において、
前記外枠には、前記本体枠が閉止された状態で、前記立壁部材の少なくとも一部と左右方向において重なりを有する遮蔽部材が設けられ、
前記立壁部材には、前記鉤部材が設けられる高さ位置に、前方側に凹んで形成された少なくとも一つの切り欠き部が設けられ、
前記立壁部材側から前記施錠装置を側面視した場合に、前記鉤部材の一部が前記立壁部材の奥側に重なり、前記切り欠き部が設けられることにより、先端部を変形させることで前記鉤部材を前記鍵解錠伝達機構に結合させるカシメ部材の前記先端部が視認可能に構成され、
前記遮蔽部材は、左右方向に厚みを有する金属板の前側部分により形成されて前記切り欠き部を塞ぐ遮蔽部と、該遮蔽部に対して後側に位置する金属板の後側部分により形成されて前記外枠に前記遮蔽部材を固定するための固定部と、前記被係止部とを有する金属板により形成されていることを特徴とする。
【発明の効果】
【０００９】
請求項１及び２記載の遊技機によれば、不正な外的操作に基づく施錠装置の解錠行為を防止可能とすることができる。
【図面の簡単な説明】
【００１０】
【図１】本発明の第一の実施形態にかかる施錠装置を組み込んだパチンコ機の正面図である。
【図２】図１のパチンコ機において外枠から本体枠を開放した状態を示す図である。
【図３】施錠装置の右側面図である。
【図４】本体枠を外枠から開放した状態において、施錠装置と受け金具との位置関係を示す右側面図である。
【図５】パチンコ機の施錠時における右側面図である。
【図６】施錠時における鉤部材周辺を上面視して示す拡大図である。
【図７】受け金具を示す図であり、（ａ）は外枠への取付け姿勢における上面図を、（ｂ）は（ａ）におけるＡ線矢視図を、（ｃ）は（ａ）におけるＢ線矢視図をそれぞれ示している。
【図８】外枠の受け金具周辺を示す斜視図である。
【図９】立壁部、鉤部材及び受け金具付近を拡大して示す右側面図であり、（ａ）は施錠した状態を、（ｂ）は解錠した状態をそれぞれ示している。
【図１０】施錠時における鉤部材周辺を上面視して示す図において、針金等による外部から鉤部材等へのアクセスが阻止される様子を示している。
【図１１】本発明の第二の実施形態における受け金具を示す図であり、（ａ）は外枠への取付け姿勢における正面図を、（ｂ）は（ａ）におけるＣ線矢視図を、（ｃ）は（ａ）におけるＤ線矢視拡大図をそれぞれ示している。
【図１２】第二の実施形態における外枠の受け金具周辺を示す斜視図である。
【図１３】第二の実施形態のパチンコ機の施錠時における右側面図である。
【図１４】第二の実施形態の施錠時における鉤部材周辺を上面視して示す拡大図である。
【図１５】第二の実施形態の施錠時における鉤部材周辺を上面視して示す図において、針金等による外部から鉤部材等へのアクセスが阻止される様子を示している。
【図１６】第一の実施形態の変形例における外枠の受け金具周辺を示す斜視図である。
【図１７】第一の実施形態の変形例の施錠時における鉤部材周辺を上面視して示す図において、針金等による外部から鉤部材等へのアクセスが阻止される様子を示している。
【図１８】第二の実施形態の変形例における外枠の受け金具周辺を示す斜視図である。
【図１９】第二の実施形態の変形例の施錠時における鉤部材周辺を上面視して示す図において、針金等による外部から鉤部材等へのアクセスが阻止される様子を示している。
【図２０】従来例の施錠装置の施錠時における右側面図である。
【図２１】従来例の施錠装置の施錠時における鉤部材周辺を上面視して示す図において、針金等による外部から鉤部材等へのアクセス例を示している。
【発明を実施するための形態】
【００１１】
以下、上記課題を解決するのに適した各手段につき、必要に応じて作用効果等を付記しつつ説明する。
【００１２】
１．外枠に対して開閉される本体枠の施錠を行う施錠装置を備えると共に、その施錠装置に、鍵により解錠操作される錠と、前記外枠の内側に設けられた被係止部に係止及び離脱する鉤部材と、前記鍵の解錠操作に応じた前記錠の動作を前記鉤部材に伝達して前記被係止部から離脱させる鍵解錠伝達機構と、その鍵解錠伝達機構の外側に立設された立壁部材とを備えてなる遊技機において、
前記外枠には、前記本体枠が閉止された状態で、前記立壁部材の少なくとも一部と重なりを有する遮蔽部材が設けられたことを特徴とする遊技機。
【００１３】
手段１によれば、本体枠が閉止された状態で、外枠に設けられた遮蔽部材が、立壁部材の少なくとも一部と重なるので、本体枠と外枠との隙間からの針金等の差し込みを確実に阻止して、不正な外的操作に基づく施錠装置の解錠行為を防止することができる。
【００１４】
２．前記立壁部材には、少なくとも一つの切り欠き部が設けられ、
前記遮蔽部材は、前記立壁部材の切り欠き部を塞ぐように設けられたことを特徴とする手段１に記載の遊技機。
【００１５】
手段２によれば、遮蔽部材は、立壁部材の切り欠き部を塞ぐように設けられているので、切り欠き部からの針金等の差し込みを確実に阻止することができる。
【００１６】
３．前記遮蔽部材は、前記立壁部材の前記切り欠き部の周辺にのみ設けられたことを特徴とする手段２に記載の遊技機。
【００１７】
手段３によれば、遮蔽部材は、立壁部材の切り欠き部の周辺にのみ設けられているので、重量増加を抑え且つ低コストで実現することができる。
【００１８】
４．前記遮蔽部材は、前記立壁部材の長手方向全体と重なるように設けられたことを特徴とする手段１又は２に記載の遊技機。
【００１９】
手段４によれば、遮蔽部材は、立壁部材の長手方向全体と重なるので、立壁部材と遮蔽部材とで外部から二重に遮蔽されることにより、針金等の差し込みをより一層確実に阻止することができる。
【００２０】
５．前記遮蔽部材は、金属板によって前記被係止部と一体的に形成されたことを特徴とする手段１乃至４のいずれかに記載の遊技機。
【００２１】
手段５によれば、遮蔽部材が金属板によって被係止部と一体的に形成されているので、遮蔽部材及び被係止部を外枠へ同時に取付けることができ、組付け工数が従来よりも増加することがない。
【００２２】
６．前記被係止部は、前記遮蔽部材を構成する金属板の一部を切り起こして形成されたことを特徴とする手段５に記載の遊技機。
【００２３】
手段６によれば、遮蔽部材を構成する金属板の一部を切り起こすことにより、遮蔽部材と被係止部とが一体的に形成される構成を簡単且つ確実に実現することができる。
【００２４】
７．前記金属板の一部を切り起こしてなる前記被係止部の基端部分に、三角錐状に打ち出された突出部が形成されたことを特徴とする手段５に記載の遊技機。
【００２５】
手段７によれば、金属板の一部を切り起こしてなる被係止部の基端部分に、三角錐状に打ち出された突出部が形成されているので、被係止部の強度が向上し、外力が加わった場合の変形を防止することができる。
【００２６】
８．前記遮蔽部材は、前記被係止部と別体の金属板によって形成されたことを特徴とする手段１乃至４のいずれかに記載の遊技機。
【００２７】
手段８によれば、遮蔽部材が被係止部と別体の金属板によって形成されているので、被係止部として既存部品を利用可能であると共に、遮蔽部材を外枠の任意の位置に配置することができる。
【００２８】
上記各手段によれば、本体枠と外枠との隙間からの針金等の差し込みを確実に阻止して、不正な外的操作に基づく施錠装置の解錠行為を防止することができる。
【００２９】
以下、本発明の遊技機を具体化したパチンコ遊技機（以下、「パチンコ機」という）の各実施形態について、図面を参照しつつ説明する。
最初に、第一の実施形態について、図１乃至図７を参照しつつ説明する。図１はパチンコ機１０の正面図、図２はパチンコ機１０の本体枠１２を外枠１１から開放した状態を示す正面図である。なお、図１，２では便宜上、パチンコ機１０の遊技領域内の構成を空白としている。
【００３０】
図１及び図２に示すように、パチンコ機１０は、外枠１１と、軸１１ａにより外枠１１に開閉可能に支持された本体枠（中枠と呼ばれることもある）１２と、本体枠１２に組付けられた遊技盤（図示せず）と、軸１２ａにより本体枠１２に開閉可能に支持された前扉枠１３とを備えている。
【００３１】
本体枠１２には、外枠１１に対する本体枠１２の閉鎖状態において、本体枠１２をロック状態に維持するための機構と、本体枠１２に対する前扉枠１３の閉鎖状態において、前扉枠１３をロック状態に維持するための機構とを兼用する施錠装置２４が設けられている。外枠１１内の右側部には、本体枠１２側の施錠装置２４に設けられた鉤部材４，５が係止される２個の受け金具１６４，１６５が上部と下部とにそれぞれ木ネジ等によって固定されている。そして、図１に示すようにパチンコ機１０の前面右側部においてカバー部材９２の孔部を介してシリンダ錠９１が露出され、シリンダ錠９１への所定のキー操作によって各ロック状態が解除されるようになっている。
【００３２】
次に、施錠装置２４の構成について、図３乃至図９を参照しつつ説明する。図３は施錠装置２４の右側面図である。図４は、本体枠１２を外枠１１から開放した状態における施錠装置２４と受け金具１６４，１６５との位置関係を示す右側面図である。図５は、施錠時におけるパチンコ機１０の右側面図である。図６は、施錠時における鉤部材４周辺を上面視して示す図である。図７は、受け金具１６４（１６５）を示す図であり、（ａ）は外枠１１への取付け姿勢で上方から視た図を、（ｂ）は（ａ）におけるＡ線矢視図を、（ｃ）は（ａ）におけるＢ線矢視図をそれぞれ示している。図８は、外枠１１の受け金具１６４周辺を示す斜視図である。図９は、立壁部２４９、鉤部材４及び受け金具１６４（１６５）付近を拡大して示す右側面図であり、（ａ）は施錠した状態を、（ｂ）は解錠した状態をそれぞれ示している。尚、図９では、外枠１１の図示を省略している。
【００３３】
施錠装置２４を構成する縦長の基枠２４７は、取付板２と支持板３とを備えており、これらが一体となって横断面略Ｌ字状をなしている。施錠装置２４は、図２に示すように、その取付板２が本体枠１２の裏面側に縦方向に取付けられている。
【００３４】
取付板２には複数の取付孔が穿設され、さらにその上部と下部とに、矩形状の挿入孔が形成されている。該挿入孔には、前扉枠１３の閉時において扉枠鉤部が進入するようになっている。また、挿入孔の下側の取付板２上には、後述の扉枠施錠部材１６１〜１６３の摺動をガイドするためのガイドピン２ａ〜２ｃがそれぞれ取付けられている。
【００３５】
取付け板２の外側（支持板３との非接続側）の端部には、長手方向に沿って立壁部２４９が後方側へ垂直に起立形成されている。この立壁部２４９は、外枠１１と本体枠１２との隙間から針金等などが差し込まれた場合に、摺動杆２４８が設けられる基枠２４７内部まで到達することを阻止する役割を有している。
【００３６】
また、立壁部２４９には、鉤部材４，５を後述する摺動杆２４８にそれぞれ固定するガイドピン４ａ，５ａの近傍において円弧状に切り欠かれた切り欠き部２４９ａ，２４９ｂが形成されている。このように切り欠き部２４９ａ，２４９ｂを設けたのは、ガイドピン４ａ，５ａの先端を、パンチを用いて変形させて摺動杆２４８にそれぞれ結合させる製造工程において、立壁部２４９がパンチに干渉しないようにするためである。
【００３７】
支持板３の内側には、移動部材としての摺動杆２４８が上下に摺動可能に配設されている。基枠２４７の上部及び下部に設けられた施錠部材（第１施錠部材）としての鉤部材４，５は、前記摺動杆２４８が上方へ移動したときのみ連動して摺動するようになっている。摺動杆２４８は、金属板により帯状に形成されている。
【００３８】
摺動杆２４８の上部及び下部にはガイド孔がそれぞれ設けられ、下部のガイド孔の上方には、後述のカム板８が係合可能な２個の矩形状の係合部２４８ｃ，２４８ｄが形成されている。なお、本体枠１２を解錠する際に、キーＫを挿入してシリンダ錠９１に関し時計方向にキー操作したとき、後述するカム板８の第一係合凸部８ａが係合部２４８ｄに係合する。また、前扉枠１３を解錠する際に、シリンダ錠９１に関し反時計方向にキー操作したとき、カム板８の第二係合凸部８ｂが係合部２４８ｃに係合する。
【００３９】
上部と下部の鉤部材４，５は、三角形頭部を有しており、その先端下部が係合部となっている。また、図３に示すように、上下の鉤部材４，５には、各々ガイドピン４ａ，５ａが固定されており、各ガイドピン４ａ，５ａは、支持板３の上部と下部に設けられた小判形のガイド孔に係合状態でそれぞれ挿通されている。さらに、鉤部材４，５は、支持板３の上部と下部に設けられたガイド部３ｃ，３ｄにガイドされるようになっている。即ち、当該ガイドピン４ａ，５ａとガイド部３ｃ，３ｄとによって、鉤部材４，５は、所定の範囲で上下に摺動可能に支持されている。
【００４０】
上記ガイドピン４ａ，５ａは上記摺動杆２４８の２個のガイド孔にそれぞれ挿通されており、かつ、鉤部材４，５と取付板２との間にコイルばね９ｂ，９ｄが掛けられ、鉤部材４，５は常には下方に引っ張られている。また、ガイドピン４ａ，５ａが摺動杆２４８の２個のガイド孔２４８と支持板３の２個のガイド孔の各下側縁部に当接している。
【００４１】
従って、摺動杆２４８が上方に摺動するのに伴って、鉤部材４，５も連動して上方へ移動するようになっている。一方で、各々の鉤部材４，５は、独立して上方に移動可能であり、針金などで上下の鉤部材４，５を上方に移動させようとする場合（不正行為が行われる場合）は、両方の鉤部材４，５に針金を引っ掛けて上に引かなければならない。
【００４２】
取付板２の下部の拡幅部分には、シリンダ錠９１を取り付けるための異形孔が形成されていると共に、該異形孔に対応して取付ブラケット部が形成されている。取付ブラケット部は、取付板２の一部を切り欠くとともに、上下の切り欠き片をそれぞれ内側に鉤状に折り曲げることにより形成されている。そして、シリンダ錠９１は、基枠２４７の異形孔に挿入された状態で、その先端部分が取付ブラケット部に固定されている。より詳しくは、シリンダ錠９１は、その先端部分においてフランジを有しており、シリンダ錠９１の本体の一部が基枠２４７の内側に挿入された状態で、フランジが取付ブラケット部に対しねじ止め固定されている。
【００４３】
シリンダ錠９１の錠軸には第一係合凸部８ａと第二係合凸部８ｂとを備えてなるカム板８が固定される。キー操作によってカム板８が時計方向に回動された場合、カム板８の第一係合凸部８ａが摺動杆２４８の係合部２４８ｄに係合し、摺動杆２４８が上方に摺動する。これにより、鉤部材４，５が上方に摺動する。このとき、鉤部材４，５と外枠１１側の受け金具１６４，１６５との係合が解除され、本体枠１２が解錠される。従って、上記鉤部材４，５、摺動杆２４８、カム板８、シリンダ錠９１等によって、外枠１１に対する本体枠１２の施錠・解錠機構が形成されることになる。
【００４４】
一方、キー操作によってカム板８が反時計方向に回動された場合、カム板８の第二係合凸部８ｂが摺動杆２４８の係合部２４８ｃに係合し、摺動杆２４８が下方に摺動し、扉枠施錠部材１６１，１６２が下方に摺動する。このとき、扉枠施錠部材１６１，１６２，１６３と前扉枠１３側の各扉枠鉤部との係合が解除され、前扉枠１３が解錠される。従って、扉枠施錠部材１６１，１６２，１６３、摺動杆２４８、カム板８、シリンダ錠９１等によって、前扉枠１３の施錠・解錠機構が形成されることになる。
【００４５】
次に、受け金具１６４の構成について説明する。受け金具１６４は、略矩形状の金属板（例えば、厚さ１〜２ｍｍ程度の冷間圧延鋼板）を切断及び曲げ加工してなるものであり、図７及び図８に示すように、取付部１６４ａと、被係止部１６４ｂと、遮蔽部１６４ｃとを有している。
【００４６】
取付部１６４ａは、受け金具１６４の後方側の略半分を占める部分であり、２個のネジ孔１６４ｄ，１６４ｄを有し、２本の木ネジ１６４ｓによって外枠１１右側の内側面１１ｂに密着して取付けられる（図８参照）。
【００４７】
被係止部１６４ｂは、受け金具１６４の略中央部分を取付部１６４ａに対して垂直（左右方向）に所定長さ分（例えば、十数ｍｍ程度）を切り起こして外枠前端面１１ｃと平行な面が形成された矩形片状部分であり、鉤部材４が係止される。被係止部１６４ｂは、鉤部材４が水平方向の外力によって離脱することを防止するために、先端部１６４ｅが後方側へ直角に折り曲げられている。また、被係止部１６４ｂには、その基端部分を後方側へ三角錐状に打ち出すことにより突出部１６４ｐが形成されている。突出部１６４ｐは、被係止部１６４ｂの強度を向上させるために設けられたものであり、前後方向（すなわち、図７（ａ）におけるＢ線方向及びその逆方向）に外力が加わった場合に変形が生じにくいという効果を奏する。
【００４８】
遮蔽部１６４ｃは、受け金具１６４の前方側の略半分を占める部分であり、取付部１６４ａに対して右側（外側）へ段違いとなっている平行面であり、外枠内側面１１ｂと平行な面である。そして、遮蔽部１６４ｃは、その略半分が外枠前端面１１ｃよりも前方へ突出しており、本体枠１２を外枠１１に対して閉止した状態で、立壁部２４９の切り欠き部２４９ａを内側から塞ぐ役割を有している。尚、遮蔽部１６４ｃは、切り欠き部２４９ａ全体を塞ぐことができるように、外枠前端面１１ｃからの突出長さは、切り欠き部２４９ａの深さ以上且つ立壁部２４９の高さ未満（例えば、数ｍｍ程度）に設定され、上下方向の長さは、切り欠き部２４９ａの長さ以上（例えば、３０ｍｍ程度）に設定される。
【００４９】
尚、受け金具１６５は、受け金具１６４と同一の部品であり、受け金具１６５と鉤部材５及び切り欠き部２４９ｂとの関係は、受け金具１６４と鉤部材４及び切り欠き部２４９ａとの関係と同一であるので、それらについての詳細な説明を省略する。
【００５０】
次に、上記のように構成されてなる本実施の形態のパチンコ機１０の施錠関係の作用効果について説明する。
【００５１】
パチンコ機１０における本体枠１２を外枠１１に対し閉じると、施錠装置２４９の上下の鉤部材４，５が、各々独立して、コイルばね９ｂ，９ｄの引張力に抗して、外枠１１側の受け金具１６４，１６５に当りながら上方に移動し、その後、コイルばね９ｂ，９ｄの引張力により戻って受け金具１６４，１６５に係止され、図５、図６、図９（ａ）に示す施錠状態となる。この施錠状態において、本体枠１２と外枠１１との隙間から針金などが不正に差し込まれたとしても、立壁部２４９によって針金などの摺動杆２４８への到達が確実に阻止される。また、立壁部２４９の切り欠き部２４９ａ，２４９ｂにおいては、受け金具１６４，１６５の遮蔽部１６４ｃ，１６５ｃによって内側が塞がれているので、針金などの鉤部材４，５への到達も確実に阻止される。ここで、図１０は、施錠時における鉤部材周辺を上面視して示す図において、針金等による外部から鉤部材４や摺動杆２４８へのアクセスが阻止される様子を示している。従って、不正行為者が針金などにより鉤部材４又は５を解錠方向に移動させたり、針金などを摺動杆２４８に引っ掛けてそれを上方に摺動させて解錠することは不可能であり、本体枠１２の不正解錠は完全に防止される。
【００５２】
本体枠１２を解錠する場合は、キーＫをシリンダ錠９１の鍵穴に差し込んだ状態でシリンダ錠９１の錠軸を時計方向へ回し、カム板８を回動させる。すると、カム板８の第一係合凸部８ａが摺動杆２４８の係合部２４８ｄと係合して、摺動杆２４８が上方へ摺動する。そして、摺動杆２４８の上昇時のみ連動する上下の鉤部材４，５が上方に移動され、これによって、外枠１１の受け金具１６４，１６５との係合が外れ、本体枠１２は開放可能な状態となる（図９（ｂ）参照）。
【００５３】
一方、本体枠１２内の前扉枠１３を本体枠１２に対し閉じると、前扉枠１３の後方へ突出した各扉枠鉤部が、本体枠１２の各挿入孔を通過した後に、取付板２に形成された各挿入孔から基枠２４７内に進入し、扉枠施錠部材１６１〜１６３の各係止孔に入る。そして、扉枠施錠部材１６１〜１６３をコイルばね９ａ，９ｃ，９ｅの引張力に抗して下方に摺動させた後、コイルばね９ａ，９ｃ，９ｅの引張力により扉枠施錠部材１６１〜１６３が上方に戻る。これにより、扉枠鉤部が各係止孔の縁部に係止され、前扉枠１３は施錠状態となる。
【００５４】
前扉枠１３を解錠する場合は、キーＫをシリンダ錠９１の鍵穴に差し込んだ状態でシリンダ錠９１の錠軸を反時計方向へ回し、カム板８を回動させると、カム板８の第二係合凸部８ｂが摺動杆２４８の係合部２４８ｃと係合し、摺動杆２４８がコイルばね９ａ，９ｃ，９ｅの引張力に抗して下方へ摺動する。そして、摺動杆２４８の下方への摺動時にのみ連動する上下の扉枠施錠部材１６１〜１６３が下方に摺動し、これによって前扉枠１３の各扉枠鉤部と各係止孔の縁部の係合が外れ、前扉枠１３は開放される。
【００５５】
以上詳述したことから明らかなように、本実施形態の遊技機１０によれば、外枠１１に対して開閉される本体枠１２の施錠を行う施錠装置２４を備えると共に、その施錠装置２４に、キーＫにより解錠操作されるシリンダ錠９１と、外枠１１の内側に設けられた受け部材としての受け金具１６４，１６５の被係止部１６４ｂ，１６５ｂに係止及び離脱する鉤部材４，５と、キーＫの解錠操作に応じたシリンダ錠９１の動作を鉤部材４，５に伝達して被係止部１６４ｂ，１６５ｂから離脱させる鍵解錠伝達機構としての摺動杆２４８と、その摺動杆２４８の外側に立設された立壁部２４９とを備え、受け金具１６４，１６５には、本体枠１２が閉止された状態で、立壁部２４９の切り欠き部２４９ａ，２４９ｂを塞ぐように遮蔽部１６４ｃ，１６５ｃが設けられている。よって、本体枠１２と外枠１１との隙間からの針金等の差し込みを確実に阻止して、不正な外的操作に基づく施錠装置２４の解錠行為を防止することができる。
【００５６】
また、本実施形態では、遮蔽部１６４ｃ（１６５ｃ）が金属板によって被係止部１６４ｂ（１６５ｂ）と一体的に形成されているので、遮蔽部１６４ｃ（１６５ｃ）及び被係止部１６４ｂ（１６５ｂ）を外枠１１へ同時に取付けることができ、組付け工数が従来よりも増加することがない。
【００５７】
また、遮蔽部１６４ｃ（１６５ｃ）を構成する金属板（受け金具１６４（１６５））の一部を切り起こすことにより、遮蔽部１６４ｃ（１６５ｃ）と被係止部１６４ｂ（１６５ｂ）とが一体的に形成される構成を簡単且つ確実に実現することができる。
【００５８】
また、遮蔽部１６４ｃ（１６５ｃ）は、立壁部２４９の切り欠き部２４９ａ（２４９ｂ）周辺にのみ設けられているので、重量増加を抑え且つ低コストで実現することができる。
【００５９】
次に、本発明の第二の実施形態について、図１１乃至図１５を参照しつつ説明する。図１１は、第二の実施形態における受け金具３６４を示す図であり、（ａ）は外枠１１への取付け姿勢における正面図を、（ｂ）は（ａ）におけるＣ線矢視図を、（ｃ）は（ａ）におけるＤ線矢視拡大図をそれぞれ示している。図１２は、第二の実施形態における外枠１１の受け金具３６４上部周辺を示す斜視図である。図１３は、第二の実施形態のパチンコ機３１０の施錠時における右側面図である。図１４は、第二の実施形態の施錠時における鉤部材４周辺を上面視して示す拡大図である。図１５は、第二の実施形態の施錠時における鉤部材４周辺を上面視して示す図において、針金等による外部から鉤部材４や摺動杆２４８へのアクセスが阻止される様子を示している。
【００６０】
受け金具３６４は、全体形状が上下に長い長尺状を呈する金属板（例えば、厚さ１〜２ｍｍ程度の冷間圧延鋼板）を切断及び曲げ加工してなるものであり、立壁部２４９の長手方向と同一の長さを有する取付部３６４ａと、取付部３６４ａの上部と下部とにそれぞれ鉤部材４，５が係止される被係止部３６４ｂ、３６４ｃと、取付部３６４ａから前方へ延設されて段違いをなし且つ立壁部２４９の長手方向と同一の長さを有する遮蔽部３６４ｄと、複数のネジ孔３６４ｅとを備えている。すなわち、本実施形態の受け金具３６４ａでは、遮蔽部３６４ｄが立壁部２４９の長手方向全体と重なるように設けられている。
【００６１】
取付部３６４ａは、受け金具３６４の後方側の略半分を占める部分であり、６個のネジ孔３６４ｄを有し、６本の木ネジ３６４ｓによって外枠１１右側の内側面１１ｂに密着して取付けられる（図１２参照）。
【００６２】
被係止部３６４ｂは、受け金具３６４の鉤部材４に対応する部分を取付部３６４ａに対して垂直（左右方向）に所定長さ分（例えば、十数ｍｍ程度）を切り起こして外枠前端面１１ｃと平行な面が形成された矩形片状部分であり、鉤部材４が係止される。被係止部３６４ｂは、鉤部材４が水平方向の外力によって離脱することを防止するために、先端部３６４ｆが後方側へ直角に折り曲げられている。また、被係止部３６４ｂには、その基端部分を後方側へ三角錐状に打ち出すことにより突出部３６４ｐが形成されている。突出部３６４ｐは、被係止部３６４ｂの強度を向上させるために設けられたものであり、前後方向に外力が加わった場合に変形が生じにくいという効果を奏する。尚、もう一つの被係止部３６４ｃは、受け金具３６４の鉤部材５に対応する部分を取付部３６４ａに対して垂直に所定長さ分を切り起こして形成された矩形片状部分であり、鉤部材５が係止される。被係止部３６４ｃは、被係止部３６４ｂと同一の形状を有しているので詳細な説明を省略する。
【００６３】
遮蔽部３６４ｄは、受け金具３６４の前方側の略半分を占める部分であり、取付部３６４ａに対して右側（外側）へ段違いとなっている平行面であり、外枠内側面１１ｂと平行な面である。そして、遮蔽部３６４ｄは、その略半分が外枠前端面１１ｃよりも前方へ突出しており、本体枠１２を外枠１１に対して閉止した状態で、立壁部２４９の長手方向全体を内側から塞ぐ役割を有している。尚、遮蔽部３６４ｄは、立壁部２４９の長手方向全体を塞ぐことができるように、外枠前端面１１ｃからの突出長さは、立壁部２４９の高さと略同一に設定され、上下方向の長さは、上述したとおり立壁部２４９の長手方向と同一に設定される。
【００６４】
本実施形態の遊技機３０１によれば、図１５に示すように、立壁部２４９と遮蔽部３６４ｄとで外部から二重に遮蔽されることにより、本体枠１２と外枠１１との隙間からの針金等の差し込みをより一層確実に阻止することができる。
【００６５】
尚、本発明は上述した各実施の形態に限定されるものではなく、本発明の主旨を逸脱しない範囲で種々の変更を施すことが可能である。例えば、外枠１１に設けられた受け金具１６４，１６５は、本体枠１２が閉止された状態で、立壁部２４９の少なくとも一部と重なりを有する遮蔽部が設けられる構成であればよい。本体枠１２が閉止された状態で、遮蔽部が立壁部材の少なくとも一部と重なることにより、本体枠１２と外枠１１との隙間からの針金等の差し込みを確実に阻止して、不正な外的操作に基づく施錠装置の解錠行為を防止することができる。
【００６６】
また、上記第一の実施形態では、遮蔽部１６４ｃが金属板によって被係止部１６４ｂと一体的に形成された例を示したが、遮蔽部１６４ｃを被係止部１６４ｂと別体の金属板で形成してもよい。図１６は第一の実施形態の変形例を示す図であり、受け金具４６４と遮蔽部材４７４とが別体の金属板で形成されている。受け金具４６４は、金属板を切断及び折曲げ加工してなるものであり、取付部４６４ａと、取付部４６４ａに対して直角に折曲げられた被係止部４６４ｂとを有し、取付部４６４ａにおいて木ねじ４６４ｓによって外枠１１右側の内側面１１ｂに密着して取付けられる。一方、遮蔽部材４７４は、金属板からなり、複数の木ねじ４７４ｓによって外枠１１右側の内側面１１ｂの前端寄り位置に密着して取付けられる。遮蔽部材４７４は、前方側の略半分が外枠前端面１１ｃよりも前方へ突出しており、本体枠１２を外枠１１に対して閉止した状態で、立壁部２４９の切り欠き部２４９ａを内側から塞ぐ役割を有している。
【００６７】
本変形例によれば、本体枠１２と外枠１１との隙間からの針金等の差し込みを確実に阻止して、不正な外的操作に基づく施錠装置２４の解錠行為を防止することができる。尚、図１７は、本変形例の施錠時における鉤部材４周辺を上面視して示す図において、針金等による外部から鉤部材４や摺動杆２４８へのアクセスが阻止される様子を示している。また、被係止部４６４ｂを有する受け金具４６４として既存部品を利用可能であると共に、遮蔽部材４７４を外枠１１の任意の位置に配置することができる。
【００６８】
また、上記第二の実施形態では、遮蔽部３６４ｄが金属板によって被係止部３６４ｂ、３６４ｃと一体的に形成された例を示したが、遮蔽部３６４ｄを被係止部３６４ｂ、３６４ｃと別体の金属板で形成してもよい。図１８は第二の実施形態の変形例を示す図であり、受け金具５６４と遮蔽部材５７４とが別体の金属板で形成されている。受け金具５６４は、金属板を切断及び折曲げ加工してなるものであり、取付部５６４ａと、取付部５６４ａに対して直角に折曲げられた被係止部５６４ｂとを有し、取付部５６４ａにおいて木ねじ５６４ｓによって外枠１１右側の内側面１１ｂに密着して取付けられる。一方、遮蔽部材５７４は、立壁部２４９の長手方向と同一長さの長尺状の金属板からなり、複数の木ねじ５７４ｓによって外枠１１右側の内側面１１ｂの前端寄り位置に密着して取付けられる。遮蔽部材５７４は、前方側略半分が外枠前端面１１ｃよりも前方へ突出しており、本体枠１２を外枠１１に対して閉止した状態で、立壁部２４９の長手方向全体を内側から塞ぐ役割を有している。
【００６９】
本変形例によれば、立壁部２４９と遮蔽部材５７４とで外部から二重に遮蔽されることにより、本体枠１２と外枠１１との隙間からの針金等の差し込みをより一層確実に阻止することができる。尚、図１９は、本変形例の施錠時における鉤部材４周辺を上面視して示す図において、針金等による外部から鉤部材４や摺動杆２４８へのアクセスが阻止される様子を示している。また、被係止部５６４ｂを有する受け金具５６４として既存部品を利用可能である。
【産業上の利用可能性】
【００７０】
パチンコ機等の施錠装置を備えた各種遊技機に適用することができる。
【符号の説明】
【００７１】
４，５    鉤部材
１０    パチンコ機（遊技機）
１１    外枠
１２    本体枠
２４    施錠装置
９１    シリンダ錠（錠）
１６４，１６５    受け金具（遮蔽部材）
１６４ｂ，１６５ｂ    被係止部（遮蔽部材の一部）
１６４ｃ，１６５ｃ    遮蔽部（遮蔽部材の一部）
２４８    摺動杆（鍵解錠伝達機構）
２４９    立壁部（立壁部材）
２４９ａ，２４９ｂ    切り欠き部
３１０    パチンコ機（遊技機）
３６４    受け金具
３６４ｂ，３６４ｃ    被係止部
３６４ｄ  遮蔽部
４６４    受け金具
４６４ｂ  被係止部
４７４    遮蔽部材
５６４    受け金具
５６４ｂ  被係止部
５７４    遮蔽部材
Ｋ    キー（鍵）
【図１】
0005578228.tif 000002
【図２】
0005578228.tif 000003
【図３】
0005578228.tif 000004
【図４】
0005578228.tif 000005
【図５】
0005578228.tif 000006
【図６】
0005578228.tif 000007
【図７】
0005578228.tif 000008
【図８】
0005578228.tif 000009
【図９】
0005578228.tif 000010
【図１０】
0005578228.tif 000011
【図１１】
0005578228.tif 000012
【図１２】
0005578228.tif 000013
【図１３】
0005578228.tif 000014
【図１４】
0005578228.tif 000015
【図１５】
0005578228.tif 000016
【図１６】
0005578228.tif 000017
【図１７】
0005578228.tif 000018
【図１８】
0005578228.tif 000019
【図１９】
0005578228.tif 000020
【図２０】
0005578228.tif 000021
【図２１】
0005578228.tif 000022